(57)【要約】【課題】  パネルヒータとフレキシブル基板とが剥離することが無く、かつ小型化が可能な液晶表示装置を提供する。【解決手段】  フレキシブル基板１３は、フレキシブル基板１３との接続部分においては、細長いリボン状を成し、略矩形の透明パネルヒータ１２の４辺のうちの対面する平行な２辺の側縁部に沿って、液晶表示パネル１１と透明パネルヒータ１２との間に配される。こうしたフレキシブル基板１３は液晶表示パネル１１に対してスペーサ層１４を介して離間される。一方、フレキシブル基板１３が設けられていない他の平行な２辺の側縁部には、フレキシブル基板１３の厚みとスペーサ層１４の厚みとの合計厚みに略等しい厚みの接着層が形成される。【選択図】        図２
2007094245.tif 000002
【特許請求の範囲】
【請求項１】
略矩形の液晶表示パネルと、前記液晶表示パネルに対面する略矩形のパネルヒータと、前記液晶表示パネルおよびパネルヒータの間に挟まれ、前記パネルヒータの４辺のうちの平行する２辺に沿った外縁部に設けられるフレキシブル基板とを有する液晶表示装置であって、
前記フレキシブル基板を前記パネルヒータに対して固定するとともに、前記液晶表示パネルに対して固定せずに遊離させることを特徴とする液晶表示装置。
【請求項２】
前記フレキシブル基板および前記液晶表示パネルの間には、前記液晶表示パネルと前記パネルヒータとを互いに離間させるスペーサ層を備えていることを特徴とする請求項１に記載の液晶表示パネル。
【請求項３】
前記パネルヒータの４辺のうち、前記フレキシブル基板ガ設けられていない平行する２辺に沿った外縁部には、前記フレキシブル基板の厚みと前記スペーサ層の厚みの合計厚みに略等しい厚みで形成され、前記パネルヒータと前記液晶表示パネルとを互いに接着する接着層を備えていることを特徴とする請求項２に記載の液晶表示装置。
【発明の詳細な説明】
【技術分野】
【０００１】
本発明は、ヒータパネルを備えた液晶表示装置に関する。
【背景技術】
【０００２】
例えば、カーナビゲーションシステムの表示装置などに用いられる車載向けの液晶表示装置は、冬季など外気温が低い環境では表示特性が劣化するため、ヒータによって液晶表示パネルを暖めることで、所定の表示性能を維持している。こうした液晶表示パネルを暖めるヒータとしては、例えば、液晶表示パネルに対面して形成される透明な板状のパネルヒータが用いられる。このパネルヒータと液晶表示パネルとを一定の隙間をあけて周縁部で貼り合わせ、この隙間の空気をパネルヒータで暖めることにより、液晶表示パネルが加熱される。
【０００３】
ところで、パネルヒータの４辺のうちの平行する２辺に沿った外縁部には、パネルヒータを制御する動作信号をパネルヒータに伝えるためのフレキシブル基板が接続される。フレキシブル基板は、柔軟な樹脂フィルム上に導電膜からなる回路パターンを形成したものである。こうしたフレキシブル基板は、従来、液晶表示パネルとパネルヒータとの間に挟まれて、液晶表示パネルおよびパネルヒータの双方に接着された構造を成していた。即ち、液晶表示パネルとフレキシブル基板とは、接着剤を介して互いに接着されていた。
【０００４】
しかし、上述したように液晶表示パネルと、パネルヒータに設けられたフレキシブル基板とが接着剤を介して互いに接着されていると、表示装置に加わる振動やパネルヒータの自重による応力が加わる際に、接着剤による引っ張り応力が作用して、パネルヒータとフレキシブル基板との接続部分が剥離してしまうことがあり、結果的にパネルヒータが動作しなくなるという不具合が生じていた。
【０００５】
このため、例えば、パネルヒータを液晶表示パネルよりも大きく形成し、パネルヒータが液晶表示パネルの周縁部よりも外側に張り出た部分にフレキシブル基板を貼り付け、この内側でフレキシブル基板を介さずにパネルヒータとフレキシブル基板とを接着することで、パネルヒータとフレキシブル基板との剥離を防止した液晶表示装置が知られている（特許文献１）。
【特許文献１】特開２００２−２３１８６号公報
【発明の開示】
【発明が解決しようとする課題】
【０００６】
しかしながら、上述したように、パネルヒータを液晶表示パネルよりも大きく形成して液晶表示パネルの周縁部よりも外側に張り出た部分にフレキシブル基板を設ける場合、液晶表示装置自体の外形が大きくなってしまうという課題があった。搭載スペースに制約のある車載向けの液晶表示装置では、小型化は重要な事項である。
【０００７】
本発明は上記事情に鑑みてなされたもので、外部からの振動等によってもパネルヒータとフレキシブル基板とが剥離することが無く、かつ小型化が可能な液晶表示装置を提供することを目的とする。
【課題を解決するための手段】
【０００８】
上記の目的を達成するために、本発明によれば、略矩形の液晶表示パネルと、前記液晶表示パネルに対面する略矩形のパネルヒータと、前記液晶表示パネルおよびパネルヒータの間に挟まれ、前記パネルヒータの４辺のうちの平行する２辺に沿った外縁部に設けられるフレキシブル基板とを有する液晶表示装置であって、前記フレキシブル基板を前記パネルヒータに対して固定するとともに、前記液晶表示パネルに対して固定せずに遊離させることを特徴とする液晶表示装置が提供される。
【０００９】
前記フレキシブル基板および前記液晶表示パネルの間には、前記液晶表示パネルと前記パネルヒータとを互いに離間させるスペーサ層を備えていればよい。前記パネルヒータの４辺のうち、前記フレキシブル基板ガ設けられていない平行する２辺に沿った外縁部には、前記フレキシブル基板の厚みと前記スペーサ層の厚みの合計厚みに略等しい厚みで形成され、前記パネルヒータと前記液晶表示パネルとを互いに接着する接着層を備えていればよい。
【発明の効果】
【００１０】
本発明の液晶表示装置によれば、フレキシブル基板を前記パネルヒータに対してだけ固定するとともに、液晶表示パネルに対して固定せずに遊離させるので、従来のような液晶表示パネルとパネルヒータのフレキシブル基板とが接着剤を介して接着されている構成の液晶表示装置のように、パネルヒータとフレキシブル基板とが剥離してしまうことが無く、かつ、従来のようなパネルヒータを液晶表示パネルよりも大きく形成して、張り出し部分にフレキシブル基板を設けた液晶表示装置のように外形寸法が大きくなってしまうことがないので、液晶表示装置を小型化することができる。
【発明を実施するための最良の形態】
【００１１】
以下、本発明に係る液晶表示装置について、図面を参照して説明する。図１は、本発明の液晶表示装置の一実施形態を示す外観斜視図である。液晶表示装置１０は、画像や文字を表示する液晶表示パネル１１と、低温時にこの液晶表示パネル１１を動作適正温度まで加熱する透明パネルヒータ１２と、透明パネルヒータ１２を制御する制御信号を伝達するフレキシブル基板１３を有している。液晶表示パネル１１は、透明電極や配向膜がそれぞれ形成された一対の基板の間に液晶層を配した周知の液晶表示パネルである。フレキシブル基板１３は、屈曲可能な柔軟な樹脂フィルムの表面に、金属膜からなる導電パターンを形成したものである。このような構成の液晶表示装置１０は、液晶表示パネル１１の中央部分に矩形の表示領域Ｓが設定される。
【００１２】
図２は、図１におけるＡ−Ａ線での断面を示す拡大斜視図である。透明パネルヒータ１２は、ガラス基板１２ａの一面にＩＴＯ電極膜１２ｂを形成したものである。こうした透明パネルヒータ１２のガラス基板１２ａ側には、例えば面発光装置などの照明装置が配され、透明パネルヒータ１２を介して液晶表示パネル１１を裏面側から照明するバックライト付き液晶表示パネルとすることができる。
【００１３】
フレキシブル基板１３は、透明パネルヒータ１２との接続部分においては、細長いリボン状を成し、略矩形の透明パネルヒータ１２の４辺のうちの対面する平行な２辺（図１、図２のＹ方向）の側縁部に沿って設けられ、液晶表示パネル１１と透明パネルヒータ１２との間に配される。こうした透明パネルヒータ１２は液晶表示パネル１１に対してスペーサ層１４を介して離間される。スペーサ層１４は、例えば片面粘着テープが用いられればよい。
【００１４】
一方、スペーサ層１４はフレキシブル基板１３側に固定した場合には、スペーサ層１４の液晶表示パネル１１と接する面を遊離した面とすることができる。また、スペーサ層１４を液晶表示パネル１１側に固定した場合には、フレキシブル基板１３と接する面を遊離した面とすることができる。すなわち、フレキシブル基板１３と液晶表示パネル１１とは、擦動、遊離自在にされている。
【００１５】
略矩形の透明パネルヒータ１２の４辺のうち、フレキシブル基板１３が設けられていない対面する２辺（図１、図２のＸ方向）の側縁部に沿って、液晶表示パネル１１と透明パネルヒータ１２とを接着固定する接着層１５が形成される。接着層１５は、例えば両面粘着テープが用いられればよい。こうした接着層１５の厚みｔ１は、フレキシブル基板１３の厚みｔ２とスペーサ層１４の厚みｔ３との合計厚みと略同じになるように形成されている。
【００１６】
例えば、厚みｔ１は０．２ｍｍ、ｔ２は０．０７ｍｍ、ｔ３は０．１３ｍｍに形成される。なお、こうした液晶表示パネル１１と透明パネルヒータ１２とを接着固定する接着層１５は、フレキシブル基板１３やスペーサ層１４の厚みが大きい時には、スペーサー部材などを適宜挟んで液晶表示パネル１１と透明パネルヒータ１２とを接着固定する構成であってもよい。
【００１７】
このような構成により、図３に示すＸ方向の２辺で、液晶表示パネル１１と透明パネルヒータ１２とが接着層１５を介して互いに接着される挟持部Ｂを形成する。また、Ｙ方向の２辺で、液晶表示パネル１１とフレキシブル基板１３とがスペーサ層１４を介して互いに離間され、かつフレキシブル基板１３と液晶表示パネル１１とは遊離状態にされたフレキシブル基板配設部Ｃを形成する。
【００１８】
以上のような構成によって、フレキシブル基板１３は図３のフレキシブル基板配設部Ｃにおいて透明パネルヒータ１２に対してだけ接着され、液晶表示パネル１１に対しては接着、固定されていない。従って、従来のような液晶表示パネルと透明パネルヒータのフレキシブル基板とが接着剤を介して接着されている構成の液晶表示装置のように、透明パネルヒータとフレキシブル基板とが剥離してしまうことが無い。透明パネルヒータ１２と液晶表示パネル１１とは図３の挟持部Ｂで接着層１５を介してしっかり接合される。
【００１９】
また、従来のような透明パネルヒータを液晶表示パネルよりも大きく形成して、張り出し部分にフレキシブル基板を設けた液晶表示装置のように外形寸法が大きくなってしまうことがないので、小型化することができ、スペースに制約のある車載向け液晶表示装置として好適に使用できる。
【００２０】
さらに、接着層１５の厚みｔ１をフレキシブル基板１３の厚みｔ２とスペーサ層１４の厚みｔ３との合計厚みと略同じになるように形成することで、透明パネルヒータ１２とフレキシブル基板１３との間の層構成が図２のＸ方向とＹ方向とで違っていても、離間距離が同じなので液晶表示パネル１１が湾曲するなどということがない。
【００２１】
なお、上述した実施形態では、液晶表示装置１０のＸ方向の２辺で挟持部Ｂを形成し、Ｙ方向の２辺でフレキシブル基板配設部Ｃを形成しているが、図４に示すように、液晶表示装置２０のＹ方向の２辺で透明パネルヒータと液晶表示パネルとを接着した挟持部Ｂを形成し、Ｘ方向の２辺でフレキシブル基板と透明パネルヒータとを離間、固定しないフレキシブル基板配設部Ｃを形成してもよい。
【図面の簡単な説明】
【００２２】
【図１】本発明の液晶表示装置の一例を示す外観斜視図である。
【図２】図１のＡ−Ａ線における拡大斜視図である。
【図３】本発明の液晶表示装置の接着位置を示す説明図である。
【図４】他の実施形態における接着位置を示す説明図である。
【符号の説明】
【００２３】
１０…液晶表示装置、１１…液晶表示パネル、１２…透明パネルヒータ、１３…フレキシブル基板、１４…スペーサ層、１５…接着層。
【図１】
2007094245.tif 000003
【図２】
2007094245.tif 000004
【図３】
2007094245.tif 000005
【図４】
2007094245.tif 000006